(57)【要約】【課題】食器や鍋、フライパンなどから液体や粘りのある液体、量のある固体などを掬い取るへらを提供する。【解決手段】本発明のへらは、ほぼ半円形の入り口があり、その後方に円筒の上半分を欠いた貯留部を有する。入り口から後部へは滑らかな曲線で端部が鍋などに密着しやすくして掬い取り易い形状にする。円筒の上半分を欠いた貯留部へも物質を直接入れることもできる。貯留部の後部は、円筒状であり、強度が保たれ把持部にもなる。底をつければさらに流れだしにくくなる。厚みがある時は、物質を掬い取り易くするために入り口は斜めにカットをいれる。筒状の容器又は容器以外の筒状物の表面の一部に切り込み線をいれ、この切り込み線で分離することによりへらを作り、二次的利用をする。【選択図】　　図１
2004073573.tif 000002
【特許請求の範囲】
【請求項１】
貯留部があるへら
【請求項２】
ほぼ半円形の入り口があり　その後方に円筒の上半分を欠いた貯留部を有し　さらに貯留部の後部は、円筒になっていることを特徴とするへら。
【請求項３】
筒状の容器又は容器以外の筒状物の表面の一部に切り込み線をいれこの切り込み線で分離することにより、二次的利用が出来る筒状の容器、又は容器以外の筒状物
【請求項４】
上記の二次的利用の為に分離した筒状の容器又は容器以外の筒状物が、へらであることを特徴とする請求項２記載の筒状の容器又は容器以外の筒状物。
【発明の詳細な説明】
【０００１】
【発明が属する技術分野】
本発明は、液体、又は粘りのある液体や固体などを内側に蓄えることが出来るへらである。円筒状のラップの芯など使い終わって捨てるだけのものに　切り込み線を入れておき、簡単に形を変えてへらを作って再利用する。
【０００２】
【従来の技術】
ゴム製のへらやキッチンペーパーなどで食器や鍋、フライパン等の汚れを拭き取ろうとしても、液体や粘りのある液体、量のある固体などは一度にきれいに掬い取りにくく、ごみ袋等に移動させることが容易ではなく、こぼれ易い。キッチンペーパーでは、何枚も必要となる。つい面倒になって洗剤を使ってそのまま流してしまいがちである。
【０００３】
【発明が解決しようとする課題】
液体や粘りのある液体、量のある固体などを掬い取りやすいへらを提供することである。このへらで、油汚れやカレーの残りなどもきれいに掬い取り、排水に流すのを減らす。
【０００４】
【課題を解決するための手段】
液体や粘りのある液体、固体などを内側に入れ易く、またこぼれにくくある程度の量を内側に蓄えられる貯留部をもつへらを提供する。前記のものを色々な形状の器や鍋などから掬い取るときに、器や鍋に密着し易いしなやかさと、蓄えたものを内側に保つ強度をもつ。
【０００５】
【発明の実施の形態】
へらは、ほぼ半円形の入り口があり　その後方に円筒の上半分を欠いた貯留部を有する。貯留部の後部は、円筒状であり　把持部となる。入り口から後部へは滑らかな曲線で端部が鍋などに密着しやすくして　掬い取り易い形状にする。円筒の上半分を欠いた貯留部へも物質を直接入れることもできる。底をつければさらに流れだしにくくなり蓄えられる。厚みがある時は　物質を掬い取り易くするために　入り口は斜めにカットをいれる。底がない場合は円筒部の所が入り口にもなる。
筒状などの容器　又は容器以外の筒状物の表面の一部に切り込み線をいれ　この切り込み線で分離することにより、二次的利用が出来るへらをつくることができる。身近な材料で簡単に作れる。燃える素材の場合は　そのまま捨てることができる。
【０００６】
【実施例】
以下、実施例を添付図面に従って説明する。図１は内側に貯留部があるへらである。１は入り口である。ほぼ半円形の前部の入り口から物体を掬い取っていれる。その後方部にある円筒の上部を欠いた貯留部２に蓄えることが出来る。貯留部の上部の切り口からでも物体を入れることができる。また貯留部の後方は円筒状になっていて持ち易く強度を保てるので使い易い。後部の４が空いている場合は入り口として使うこともできる。４に底をつけても良い。
【０００７】
図２は図１と同様であるが、厚みのある場合である。物体が内部に入り易いように切り口はすべて内側を控えて斜めにカット７をいれる。４が空いている場合は同じように内側を控えた斜めのカット７をいれる。４に底をつけてもよい。
【０００８】
図３は円筒の斜視図である。円筒の表面に切り込み線６を入れておき、これを切り離すことにより図１のへらを２個作る。Ｗ，Ｘ，Ｙ，Ｚは円筒の底面上の点で底面の円周を四等分する点であり反対側の底面で対応する点をｗ，ｘ，ｙ，ｚとする。辺Ｘ、ｘの二等分点をＬとし辺Ｚ、ｚの二等分点をｌとする。切り込み線は、辺Ｌ、，Ｘ上の点Ｋから側面上の直線Ｙ、ｙに向かってはほぼ垂直に辺Ｙ、ｙ上に伸ばし、点Ｖで交わる。点Ｖから直線Ｙ、ｙ上をすすみ円筒の側面の中心線Ｌ，Ｍ，ｌ，Ｎと交わった点で点Ｖと対称となるように点ｖをきめ、点ｖより線Ｚ，ｚ上で点Ｍにおいての点Ｋの対称の点ｋに向かって点線をひく。点Ｋ、点Ｖ、点ｖ，点ｋを面Ｘ，Ｚ，ｚ，ｘに対称にとった点Ｋ、Ｊ，ｊ，ｋをつなぎ、切り込み線をいれる。切り込み線で分割した場合、線ｖ、ｋ、ｊと線Ｖ、Ｋ、Ｊはほぼ半円形で先端の入り口となる。後部に円筒の上部を欠いた略半円形状の貯留部２ができる。分割しても点Ｘ、Ｋを含む円筒の部分と点ｋ、ｚを含む円筒の部分は円筒のまま残り把持部とするが、そこがある為にへらの強度が保たれる。
【０００９】
図４は図３の円筒の側面図である。円筒の側面上の点Ｋより直線Ｙ，ｙに垂直に下ろした線が交わる点をＦとする。直角三角形Ｋ、Ｆ、Ｍの線Ｆ，Ｍ上で点Ｖを決める。点Ｖの付近の線Ｋ、Ｖ、Ｍは直角でも湾曲していてもよい。対応する線ｍ、ｖ、ｋも同様に直角でも湾曲していてもよい。
【００１０】
【発明の効果】
食器や鍋、フライパンなどから　液体や粘りのある液体、量のある固体などを容易に掬い取ることができる。食器洗い機に入れる前にも簡単に汚れを落とせる。環境を考える人は勿論、面倒くさがりの人や、忙しい主婦、爪を伸ばしているＯＬ、手が荒れることを嫌う人やネイルを気にする人にも手を汚さず簡単に使える。水や洗剤の使用量も減らすことができる。配管の汚れ具合にも大きな違いがでる。地球環境にも家庭用排水の汚れを減らすことで貢献できる。また燃える素材で作れば、そのままゴミ袋に捨てることもできるので手軽である。
【図面の簡単な説明】
【図１】貯留部があるへらの斜視図である。
【図２】厚みがあるへらで斜めにカットが入れてあるへらの斜視図である。
【図３】切り込み線をいれた円筒の斜視図であり図２の形のへらが２個出来る。
【図４】図３の切り込み線を入れた円筒の側面図である。
【符号の説明】
１　　　入り口
２　　　貯留部
３　　　把持部
４　　　底又は空洞
５　　　湾曲部
６　　　切り込み線
７　　　斜めのカット
Ｊ　　　円筒の切り込み線上の点
Ｋ　　　円筒の切り込み線上の点
Ｖ　　　円筒の切り込み線上の点
ｊ　　　円筒の切り込み線上の点
ｋ　　　円筒の切り込み線上の点
ｖ　　　円筒の切り込み線上の点
Ｌ　　　円筒の側面の高さを二等分する中間点
Ｍ　　　円筒の側面の高さを二等分する中間点
Ｎ　　　円筒の側面の高さを二等分する中間点
ｌ　　　円筒の側面の高さを二等分する中間点
Ｗ　　　円筒の底面の点
Ｘ　　　円筒の底面の点
Ｙ　　　円筒の底面の点
Ｚ　　　円筒の底面の点
ｗ　　　円筒の底面の点
ｘ　　　円筒の底面の点
ｙ　　　円筒の底面の点
ｚ　　　円筒の底面の点
【図１】
2004073573.tif 000003
【図２】
2004073573.tif 000004
【図３】
2004073573.tif 000005
【図４】
2004073573.tif 000006